(57)【要約】【課題】車載機の通信状況が頻繁に変化するような場合であっても、通信状態が良いところでは綺麗な映像を視聴出来、通信状態が悪いところではユーザがコンテンツを長時間視聴し続けることが出来るデータ配信システムを提供する。【解決手段】車載機は映像データの配信要求と共に、目的地までのルート情報と、車両の現在位置情報をサーバ装置に送信する。サーバ装置は、移動端末からのルート情報と位置情報をもとに移動端末の通信状況を予測し、その予測結果に基づいて映像データの再生時刻ごとの周波数成分の配信順序を決定し、車載機へ映像データを送信する。以降、車載機から要求された映像データを車載機へ送信完了するまで、車載機からの位置情報とルート情報をもとにした映像データの配信順序の変更を繰り返す。【選択図】図１
2006197453.tif 000002
【特許請求の範囲】
【請求項１】
サーバと、前記サーバから通信網を介して時系列データを受信して再生する移動端末とを含むデータ配信システムであって、
前記移動端末は、単体で再生可能な低周波成分データと高周波成分データとから構成される時系列データを受信する第１の送受信制御手段と、受信した前記時系列データを再生する再生制御手段を備え、
前記サーバは、前記移動端末の通信状況を予測する通信状況予測手段と、前記通信状況予測手段の予測結果に基づいて前記時系列データの前記低周波成分データと前記高周波成分データの送信順序を決定するデータ配信制御手段と、前記移動端末へ前記時系列データを送信する第2の送受信制御手段とを備えたことを特徴とするデータ配信システム。
【請求項２】
前記通信状況予測手段は、電波状況が良くなるとの予測結果が出た場合は、前記高周波成分データの送信割合を増加することを特徴とする請求項１に記載のデータ配信システム。
【請求項３】
前記通信状況予測手段は、電波状況が悪くなるとの予測結果が出た場合は、前記低周波成分データの送信割合を増加することを特徴とする請求項１に記載のデータ配信システム。
【請求項４】
サーバと、前記サーバから通信網を介して時系列データを受信して再生する移動端末とを含むデータ配信システムであって、
前記移動端末は、現在位置を検出する位置検出手段と、前記位置検出手段の検出結果を位置情報としてサーバに送信する第１の送受信制御手段とを備え、
前記サーバは、前記移動端末からの前記位置情報を受信する第２の送受信制御手段と、前記移動端末からの前記位置情報をもとに前記移動端末の通信状況を予測する通信状況予測手段とを備えたことを特徴とする、データ配信システム。
【請求項５】
サーバと、前記サーバから通信網を介して時系列データを受信して再生する移動端末とを含むデータ配信システムであって、
前記移動端末は、現在位置を検出する位置検出手段と、目的地を設定する目的地設定手段と、前記位置検出手段の検出結果を位置情報および前記設定された目的地を目的地情報として前記サーバに送信する第１の送受信制御手段とを備え、
前記サーバは、前記位置情報および目的地情報を受信する第２の送受信制御手段と、前記移動端末からの前記位置情報および前記目的地情報をもとに前記移動端末の通信状況を予測する通信状況予測手段とを備えたことを特徴とする、データ配信システム。
【請求項６】
サーバと、前記サーバから通信網を介して時系列データを受信して再生する移動端末とを含むデータ配信システムであって、
前記移動端末は、現在位置を検出する位置検出手段と、目的地を設定する目的地設定手段と、目的地までのルートを算出するルート算出手段と、前記位置検出手段の検出結果を位置情報および算出されたルートをルート情報として前記サーバに送信する第１の送受信制御手段とを備え、
前記サーバは、前記位置情報および前記ルート情報を受信する第２の送受信制御手段と、
前記移動端末からの前記位置情報および前記ルート情報をもとに、前記移動端末の通信状況を予測する通信状況予測手段とを備えたことを特徴とする、データ配信システム。
【請求項７】
移動端末に対して通信網を介して、単体で再生可能な低周波成分データと高周波成分データとから構成される時系列データを送信するサーバであって、
前記移動端末の通信状況を予測する通信状況予測手段と、前記通信状況予測手段の予測結果に基づいて、前記時系列データの前記低周波成分データと前記高周波成分データの送信順序を決定するデータ配信制御手段と、前記移動端末へ前記時系列データを送信する第1の送受信制御手段とを備えたことを特徴とするサーバ。
【請求項８】
サーバと、前記サーバから通信網を介して時系列データを受信して再生する移動端末とを含むデータ配信システムであって、
前記移動端末は、通信状況を予測する通信状況予測手段と、前記通信状況予測手段の予測した通信状況を通信状況予測情報として前記サーバに通知し、単体で再生可能な低周波成分データと高周波成分データとから構成される時系列データを受信する第１の送受信制御手段と、受信した前記時系列データを再生する再生制御手段とを備え、
前記サーバは、前記通信状況予測情報に基づいて前記時系列データの前記低周波成分データと前記高周波成分データの送信順序を決定するデータ配信制御手段と、前記移動端末からの通信状況予測結果情報を受信し、前記移動端末へ前記時系列データを送信する第２の送受信制御手段とを備えたことを特徴とするデータ配信システム。
【請求項９】
前記移動端末は、現在位置を検出する位置検出手段を備え、
前記通信状況予測手段は、前記位置検出手段の検出する位置情報をもとに前記移動端末の通信状況を予測することを特徴とする請求項８に記載のデータ配信システム。
【請求項１０】
前記移動端末は、現在位置を検出する位置検出手段と、目的地を設定する目的地設定手段とを備え、
前記通信状況予測手段は、前記位置検出手段の検出する位置情報および前記目的地設定手段により設定された目的地情報をもとに前記移動端末の通信状況を予測することを特徴とする、請求項８に記載のデータ配信システム。
【請求項１１】
前記移動端末は、現在位置を検出する位置検出手段と、目的地を設定する目的地設定手段と、目的地までのルートを算出するルート算出手段とを備え、
前記通信状況予測手段は、前記位置検出手段の検出する位置情報および前記ルート算出手段により算出されたルート情報をもとに前記移動端末の通信状況を予測することを特徴とする請求項８に記載のデータ配信システム。
【請求項１２】
移動端末に対して通信網を介して、単体で再生可能な低周波成分データと高周波成分データとから構成される時系列データを送信するサーバであって、
前記移動端末からの通信状況予測結果情報を受信する第２の送受信制御手段と、前記通信状況予測情報に基づいて前記時系列データの前記低周波成分データと前記高周波成分データの送信順序を決定する送信順序決定手段とを備えたことを特徴とするサーバ。
【請求項１３】
サーバから通信網を介して、単体で再生可能な低周波成分データと高周波成分データとから構成される時系列データを受信して再生する移動端末であって、
通信状況を予測する通信状況予測手段と、前記通信状況予測手段の予測した通信状況を通信状況予測情報として前記サーバに通知し、前記時系列データを受信する第１の送受信制御手段と、受信した前記時系列データを再生する再生制御手段とを備えることを特徴とする移動端末。
【発明の詳細な説明】
【技術分野】
【０００１】
本発明はサーバからネットワークを介してコンテンツを配信し、端末で受信して再生するデータ配信システムに関するものである。
【背景技術】
【０００２】
従来、この種のデータ配信システムとしては、たとえば、特許文献１に記載されているようなものがあった。
【０００３】
従来のデータ配信システムは、コンテンツをストリーミング配信するサーバと、サーバからのコンテンツを携帯電話網を介して受信し再生する車載機とからなる。車載機はサーバに対して位置情報を通知し、サーバは車載機からの位置情報をもとに車載機の通信状況を予測して、車載機に配信するコンテンツを、通信状況の予測結果に即したビットレートのものに変更して配信する。例えばトンネルが近づいているなど車載機の通信状況の悪化が予測出来る場合には、サーバは配信するコンテンツを、より低ビットレートのものに変えることで、車載機はトンネル内でもより長くコンテンツ視聴が可能となる。
【特許文献１】特開２００２−２６２２８９号公報
【発明の開示】
【発明が解決しようとする課題】
【０００４】
従来技術は、サーバが車載機からの位置情報の通知をもとに通信状況を予測し、サーバから配信するコンテンツのビットレートを変更する方法のため、車載機の通信状況が頻繁に変化するような場合に、通信状態の変化にビットレートの変更を追従させることが出来ない。例えば車載機が、通信状況の良いエリアから、サーバに位置情報を通知出来ないで通信エリア外に出てしまうと、車載機の受信バッファに蓄積されているのは高ビットレートのコンテンツのみであり、コンテンツのバッファリングが足りなくなり、再生がすぐに中断してしまうという問題があった。
【０００５】
本発明は、従来の問題を解決するためになされたもので、通信状態の頻繁な変化に対応することが出来るデータ配信システムを提供することを目的とする。
【課題を解決するための手段】
【０００６】
本発明のデータ配信システムは、サーバと、前記サーバから通信網を介して時系列データを受信して再生する移動端末とを含むデータ配信システムであって、
前記移動端末は、単体で再生可能な低周波成分データと高周波成分データとから構成される時系列データを受信する第１の送受信制御手段と、受信した前記時系列データを再生する再生制御手段を備え、前記サーバは、前記移動端末の通信状況を予測する通信状況予測手段と、前記通信状況予測手段の予測結果に基づいて前記時系列データの前記低周波成分データと前記高周波成分データの送信順序を決定するデータ配信制御手段と、前記移動端末へ前記時系列データを送信する第2の送受信制御手段とを備えることを特徴とする。
【０００７】
この構成により、車載機の通信状況が頻繁に変化するような場合であっても、通信状態が良いところでは綺麗な映像を視聴出来、通信状態が悪いところではユーザがコンテンツを長い時間視聴し続けることが出来る。
【発明の効果】
【０００８】
本発明のデータ配信システムは、車載機の通信状況が頻繁に変化するような場合であっても、通信状態が良いところでは綺麗な映像を視聴出来、通信状態が悪いところではユーザがコンテンツを長時間視聴し続けることが出来る。
【発明を実施するための最良の形態】
【０００９】
以下、本発明の実施の形態のデータ配信システムについて、図面を用いて説明する。
【００１０】
（第１の実施の形態）
本発明の第１の実施の形態のデータ配信システムのブロック図を図１に示す。
【００１１】
図１において、本実施の形態のデータ配信システムは、サーバ装置１と、車両３に搭載された車載機（移動端末）２と、広域通信網４と、広域通信基地局４１と、インターネット５とを含む。
【００１２】
サーバ装置１は、通信部１１、送受信制御部１２、データ配信制御部１３、データ蓄積部１４、通信状況予測部１５を備える。
【００１３】
一方、車載機（移動端末）２は、広域通信部２１、送受信制御部２２、出力部２３、再生制御部２４、位置検出部２５、目的地設定部２６、ルート算出部２７を備える。
【００１４】
サーバ装置１は、通信部１１を介してインターネット５に接続されている。また移動端末２は、広域通信部２１により、広域通信基地局４１、広域通信網４を介して、インターネット５に接続する。サーバ装置１と移動端末２は、インターネット５を介して双方向通信を行う。
【００１５】
車載機２は、目的地設定部２６により設定された目的地までのルート情報と、位置検出部２５により検出された車両の現在の位置情報を、送受信制御部２２を介してサーバ装置１に送信する。
【００１６】
サーバ装置１は送受信制御部１２を介して、移動端末からのルート情報と位置情報を受信する。サーバ装置１の通信状況予測部１５は、移動端末からのルート情報と位置情報をもとに、移動端末の通信状況を予測し、データ配信制御部１３へ、通信状況の予測結果を出力する。データ配信制御部１３は、通信状況予測部１５の通信状況予測結果に基づいて、配信データの配信順序を決定する。通信状況予測部１５とデータ配信制御部１３の動作例を図５を用いて説明する。通信状況予測部１５が車載機２の進行先の通信状況を予測し（Ｓ４０１）、予測した結果、進行先の電波状況が良くなると予想される場合（Ｓ４０２のＹＥＳ）、配信するデータにおける高周波成分の送信割合を増加させる（Ｓ４０３）。また進行先の電波状況が悪くなると予想される場合（Ｓ４０２のＮＯ）、配信するデータにおける低周波成分の送信割合を増加させる（Ｓ４０４）。以上の処理を、ストリーム配信の終了まで（Ｓ４０５のＹＥＳ）繰り返し実行する。
【００１７】
サーバ装置１のデータ蓄積部１４には、移動端末へ配信するための配信データが蓄積されており、配信順序の決定結果に基づいて送受信制御部１２を介して車載機２へデータを送信する。
【００１８】
サーバ装置１から送信された配信データは、車載機２の再生制御部２４に、配信データのバッファリングとして蓄積される。各配信データには再生時刻情報（最初に再生するデータからの相対時刻情報）が付加されており、しかるべきタイミングで出力部２３を介して再生される。
【００１９】
サーバ装置１のデータ蓄積部１４に蓄積されている配信データは、移動端末で受信して再生するためのもので、例えば映像、画像、音声などのデータである。本実施例では配信データは映像データとして説明するが、他の種類のデータであっても同様に実施可能である。これらのデータが周波数成分に基づいて変換され符号化されて、データ蓄積部１４に蓄積されている。本実施例では配信データはウェーブレット変換により周波数成分に変換されているものとして説明するが、ある再生時刻において低周波成分のみでも再生可能であり、かつ高周波成分を付加することで再生時刻当たりの質を高めることが出来るような、いわゆる階層化構造を実現可能な変換方法であれば、他の周波数変換方法であっても同様に実施可能である。
【００２０】
配信データは、周波数成分に基づいて低周波成分から高周波成分へ、複数のデータに分割されてデータ蓄積部１４に保存されている。配信データを周波数成分に基づいて分割する例を図３に示す。この例では、配信データは各再生時刻に基づいて、垂直方向および水平方向に２度ずつ直行変換されているものを表わしている。配信データのうちＬＬＬＬは最も周波数が低く、以降ＬＬＬＨ、ＬＬＨＬ、ＬＬＨＨ、ＬＨ、ＨＬ、ＨＨの順に周波数が高くなる。このように本実施例では、各再生時刻ごとに周波数成分に基づいて７種類のデータに分割されていることを前提に説明するが、その他の分割方法であっても同様に実施可能である。
【００２１】
移動端末は、ある再生時刻において、少なくとも最も低周波なデータのみ（ＬＬＬＬ）受信することで、配信データの再生が可能である。
【００２２】
しかしながらこの場合、映像の解像度は最低となり、荒い映像として再生される。ある再生時刻において、周波数の高い追加データ（ＬＬＬＨ、ＬＬＨＬ、・・・）を受信することにより、高解像度として、精細な映像として再生が可能である。たとえば、図３において、パケット11まで受信後に通信状態が悪くなると、フレーム1, 2, 3はLLLL＋LLHLの高解像度の映像を視聴し、フレーム4, ・・・,10はLL3のみの低解像度の映像視聴となる。
【００２３】
以上のように構成されたデータ配信システムについて、その動作を説明する。本実施の形態のデータ配信システムの動作を示すフロー図を図２に示す。
【００２４】
車載機２が、広域通信基地局４１、広域通信網４を介してインターネット５に接続され、サーバ装置１と双方向通信が可能となると、車載機２はサーバ装置１に対して、データの配信を要求する（Ｓ１０１）。このとき、目的地設定部２６により設定された目的地までのルート情報と、位置検出部２５により検出された車両の現在の位置情報が、車載機２から送受信制御部２２を介してサーバ装置１に送信される（Ｓ１０２）。
【００２５】
サーバ装置１は送受信制御部１２を介して、移動端末からのルート情報と位置情報を受信する（Ｓ１０３）。サーバ装置１の通信状況予測部１５は、移動端末からのルート情報と位置情報をもとに、移動端末の通信状況を予測し、データ配信制御部１３へ、通信状況の予測結果を出力する（Ｓ１０４）。
【００２６】
データ配信制御部１３は、通信状況予測部１５の通信状況予測結果に基づいて、配信データの配信順序を決定し（Ｓ１０５）、配信順序の決定結果に基づいて送受信制御部１２を介して車載機２へデータを送信する（Ｓ１０６）。
【００２７】
車載機２は、データを受信すると（Ｓ１０７のＹＥＳ）、再生制御部にて蓄積し（Ｓ１０８）、再生すべきコンテンツがあれば（Ｓ１０９）、時刻に従って順に再生していく（Ｓ１１０）。一定時間が経過した場合には（Ｓ１１１）、車載機２から位置情報とルート情報を、サーバ装置１に送信する（Ｓ１１２）。サーバ装置１は、送受信制御部１２で位置情報とルート情報を受信すると（Ｓ１１３のＹＥＳ）、車載端末の通信状況を予測し（Ｓ１１３）、予測した内容に基づいて映像コンテンツの配信順序を変更する（Ｓ１１５）。サーバ装置は、コンテンツを全て配信していなければ（Ｓ１１６のＮＯ）、配信が完了するまで処理を繰り返す。車載機もコンテンツを最後まで再生完了していなければ（Ｓ１１７のＮＯ）完了まで繰り返す。
【００２８】
以上のように、車載機２から要求された配信データをサーバ装置１から車載機２へ送信し切ってしまうまで、車載機２からサーバ装置１へ位置情報とルート情報の送信を一定時間ごとに繰り返し、サーバ装置１は必要に応じて配信データの配信順序を変更する。
【００２９】
通信状況の予測結果に基づいた配信順序の決定とは、例えば移動端末の通信状況が良好と予想される場合には、ある再生時刻における配信データを低周波成分から高周波成分までまとめて送信し、逆に移動端末の通信状況が悪化すると予想される場合には、各再生時刻における配信データの低周波成分のみを続けて送信することである。
【００３０】
通信状況の悪化が予測される場合とは、例えば車両３のルート上にトンネルがある場合などである。トンネルまでの距離、トンネルの長さなどを考慮し、通信不可能エリアであるトンネル内で配信データの再生がなるべく途切れず連続再生されるように、データ配信制御部１３において配信データの配信順序が決定される。
【００３１】
通信状況の悪化予測からの配信順序の変更例を図４を用いて以下説明する。
【００３２】
ある時点（Ｓ３０１）で車載機２の通信状況は良好で、広域通信による配信データの受信能力（スループット）は２００ｋｂｐｓとする。また配信データは、毎秒１０フレームの映像データとして、各フレームのデータ（ＬＬＬＬからＨＨまで）は、平均で２０ｋｂｉｔとする。このときサーバ装置１は、各フレームのデータを低周波（ＬＬＬＬ）から高周波（ＨＨ）まで順に送信し、車載機２は、２００ｋｂｐｓの受信能力を用いて、毎秒１０フレームで、毎フレーム平均２０ｋｂｉｔのデータを受信しているとする。
【００３３】
その後、ある時点（Ｓ３０２）において、車載機２からサーバ装置１に対して位置情報とルート情報を送信した際、サーバ装置１の通信状況予測部１５が、車載機２の通信状況が１００秒後に悪化すること（０ｋｂｐｓ）、及びその悪化した通信状況が１００秒間続くことを予測すると、先の再生時刻における低周波成分のデータを先に送信するように、送信順序を変更する。具体的には、毎フレーム２０ｋｂｉｔのうち、低周波成分１０ｋｂｉｔのみをサーバ装置１から送信する。車載機２は２００ｋｂｐｓの受信能力を用いて、再生時間が２倍のデータ（解像度は半分程度のデータ）を受信する。
【００３４】
このとき、トンネルまでの１００秒間に、トンネル内の１００秒間で再生するための低周波成分を受信して、バッファリングが完了する。そのためトンネル内で受信能力が０ｋｂｐｓになっても、映像データの再生を途切れることなく再生し続けることが可能となる。
【００３５】
また、トンネルを出た時点（Ｓ３０３）において、通信状況の改善が予測されると、サーバ装置１は、高周波成分の割合を増やすように送信する。またこのとき、車載機２の移動時間が短くトンネルを当初の予定より早く（１００秒以下）通過した場合、未再生の低周波成分のデータが車載機２に蓄積されているが、サーバ装置１がこの低周波成分の再生時刻に対応する高周波成分のデータを送信し、車載機２が受信後、低周波と高周波の成分を合わせて再生することにより、車載機２においてより高解像度のデータ再生が可能となる。
【００３６】
以上により車載機２は、目的地（Ｓ３０４）に到着するまで、継続的にデータ再生が可能となる。
【００３７】
（第２の実施の形態）
本発明の第２の実施の形態のデータ配信システムのブロック図を図６に示す。
【００３８】
図６において、サーバ装置６は、通信部６１、送受信制御部６２、データ配信制御部６３、データ蓄積部６４を備える。
【００３９】
一方、車載機（移動端末）７は、広域通信部７１、送受信制御部７２、出力部７３、再生制御部７４、位置検出部７５、目的地設定部７６、ルート算出部７７、通信状況予測部７８を備える。
【００４０】
車載機（移動端末）７における広域通信部７１、送受信制御部７２、出力部７３、再生制御部７４、目的地設定部７６の動作は、車載機２における広域通信部１１、送受信制御部１２、出力部１３、データ蓄積部と同じであり、説明を省略する。また、サーバ装置６における通信部６１、送受信制御部６２、データ蓄積部６４は、第１の実施例のサーバ装置１における通信部１１、送受信制御部１２、データ蓄積部１４と同様であり、説明を省略する。
【００４１】
車載機７における通信状況予測部７８は、位置検出部７５から位置情報を、ルート算出部７７からルート情報を取り出し、これらの情報をもとに通信状況を予測する。通信状況の予測結果は、通信状況予測情報として、送受信制御部７２を介して、サーバ装置６へと転送される。サーバ装置６のデータ配信制御部６３は、送受信制御部６２を介して、車載機７からの通信状況予測情報を受け取り、この通信状況予測結果に基づいて、配信データの配信順序を決定する。
【００４２】
以上のように構成されたデータ配信システムについて、その動作を説明する。本実施の形態のデータ配信システムの動作を示すフロー図を図７に示す。
【００４３】
車載機７が、広域通信基地局４１、広域通信網４を介してインターネット５に接続され、サーバ装置６と双方向通信が可能となると、車載機７はサーバ装置６に対して、データの配信を要求する（Ｓ２０１）。このとき、目的地設定部７６により設定された目的地までのルート情報と、位置検出部２５により検出された車両の現在の位置情報とをもとに、通信状況予測部７８が車載機７の通信状況を予測し（Ｓ２０２）、その予測結果である通信状況予測情報が、車載機７から送受信制御部２２を介してサーバ装置６に送信される（Ｓ２０３）。
【００４４】
サーバ装置６は送受信制御部６２を介して、移動端末からの通信状況予測情報を受信する（Ｓ２０４）。サーバ装置６のデータ配信制御部６３は、送受信制御部６２を介して受け取った通信状況予測情報に基づいて、配信データの配信順序を決定し（Ｓ２０５）、配信順序の決定結果に基づいて送受信制御部６２を介して車載機７へ配信データを送信する（Ｓ２０６）。
【００４５】
車載機７は、データを受信すると（Ｓ２０７のＹＥＳ）、再生制御部にて蓄積し（Ｓ２０８）、再生すべきコンテンツがあれば（Ｓ２０９）、時刻に従って順に再生していく（Ｓ２１０）。一定時間が経過した場合には（Ｓ２１１）、車載機７の通信状況予測部７８で位置情報とルート情報をもとに通信状況を予測し（Ｓ２１２）、通信状況の予測結果をサーバ装置６に送信する（Ｓ２１３）。サーバ装置６は、送受信制御部６２で車載機７で予測した通信状況の予測結果を受信すると（Ｓ２１４のＹＥＳ）、予測結果に基づいて映像コンテンツの配信順序を変更する（Ｓ２１５）。サーバ装置６は、コンテンツを全て受信していなければ（Ｓ２１６のＮＯ）、配信が完了するまで処理を繰り返す。車載機７もコンテンツを最後まで再生完了していなければ（Ｓ２１７のＮＯ）完了まで繰り返す。
【００４６】
以上のように、車載機７から要求された配信データをサーバ装置６から車載機７へ送信し切ってしまうまで、車載機７からサーバ装置６へ位置情報とルート情報からの通信状況の予測結果の送信を一定時間ごとに繰り返し、サーバ装置６は必要に応じて配信データの配信順序を変更する。
【産業上の利用可能性】
【００４７】
以上のように、本発明のデータ配信システムは、本発明のデータ配信システムは、この構成により、車載機の通信状況が頻繁に変化するような場合であっても、通信状態が良いところでは綺麗な映像を視聴出来、通信状態が悪いところではユーザがコンテンツを長時間視聴し続けることが可能になるという効果を有し、基地局と移動局との間のデータ配信システム、特に基地局から配信された映像ストリームを、携帯電話網を介して移動局で受信して再生するシステムとして有用である。
【図面の簡単な説明】
【００４８】
【図１】本発明の第１の実施の形態におけるデータ配信システムのブロック図
【図２】本発明の第１の実施の形態におけるデータ配信システムの動作説明のためのフロー図
【図３】映像フレームの周波数成分への直行変換を表す概念図
【図４】データの低周波／高周波成分の送信順序の変更の例を示す図
【図５】データの低周波／高周波成分の送信順序変更の動作例を表す図
【図６】本発明の第２の実施の形態におけるデータ配信システムのブロック図
【図７】本発明の第２の実施の形態におけるデータ配信システムの動作説明のためのフロー図
【符号の説明】
【００４９】
１    サーバ装置
２    車載機
３    車両
４    広域通信網
５    インターネット
１１    通信部
１２    送受信制御部
１３    データ配信制御部
１４    データ蓄積部
１５    通信状況予測部
２１    広域通信部
２２    送受信制御部
２３    出力部
２４    再生制御部
２５    位置検出部
２６    目的地設定部
２７    ルート算出部
４１    広域通信基地局
【図１】
2006197453.tif 000003
【図２】
2006197453.tif 000004
【図３】
2006197453.tif 000005
【図４】
2006197453.tif 000006
【図５】
2006197453.tif 000007
【図６】
2006197453.tif 000008
【図７】
2006197453.tif 000009